(57)【要約】【課題】画像読取装置における複数種類のイメージセンサの装着を容易にする。【解決手段】原稿搬送通路部材２３に凹み形成された１種類のセンサ装着溝部４３に、大きさの異なるモノクロ用イメージセンサ２７ａと、カラー用イメージセンサのうちのいずれかを選択的に可能に収容して装着する場合、断面形状の小さい寸法のモノクロ用イメージセンサ２７ａには、ホルダ４９を介してセンサ装着溝部４３に装着するが、断面形状の大きい寸法のカラー用イメージセンサは、センサ装着溝部４３の底側にコイルバネ４６を介在させ、カラー用イメージセンサ２７ｂの上面側を透明板５５にて覆うようにして、カラー用イメージセンサ２７ｂを弾性部材と透明板５５とで挟んだ状態で、固定部材にて固定する。【選択図】図４
2008010978.tif 000002
【特許請求の範囲】
【請求項１】
所定の搬送方向に搬送される原稿上の画像を読み取る画像読取面を有し、前記搬送方向と直交する方向に沿った長辺を有するイメージセンサと、前記所定の搬送方向と直交する方向を長手方向として装置本体に設けられ前記イメージセンサを装着可能な開口部を有するセンサ装着溝部と、を備えた画像読取装置であって、
前記センサ装着溝部は、大きさが異なる複数種類のイメージセンサを収容可能な収容空間を有し、
前記収容空間内にイメージセンサが収容されるとき、センサ装着溝部の開口部側に前記イメージセンサの画像読取面が配置されることを特徴とする画像読取装置。
【請求項２】
前記複数種類のイメージセンサは、カラー用イメージセンサと、モノクロ用イメージセンサを含むことを特徴とする請求項１に記載の画像読取装置。
【請求項３】
装置本体に設けられ、原稿が前記所定の搬送方向に搬送されるときに、その搬送通路を形成する原稿搬送通路部材を備え、前記センサ装着溝部は前記原稿搬送通路部材と一体的に形成されていることを特徴とする請求項１または２に記載の画像読取装置。
【請求項４】
前記モノクロ用イメージセンサの画像読取面を露出可能な開放面を有し、前記モノクロ用イメージセンサを収容保持可能なイメージセンサ保持部材は、前記開口部側から前記収容空間に嵌挿可能であることを特徴とする請求項２または３に記載の画像記録装置。
【請求項５】
前記カラー用イメージセンサは、前記開口部を覆う透明板と前記センサ装着溝部の底側に配置された弾性部材とによって、前記収容空間内で固定されることを特徴とする請求項２または３に記載の画像読取装置。
【請求項６】
前記透明板は前記搬送方向と直交する方向に沿った長辺を有し、前記透明板の長辺と直交する一端部は、前記センサ装着溝部の近傍の係止溝に係止され、他端部は、前記原稿搬送通路部材に対して着脱可能な固定部材を介して固定されていることを特徴とする請求項５に記載の画像読取装置。
【請求項７】
前記モノクロ用イメージセンサが前記イメージセンサ保持部材に収容され、前記イメージセンサ保持部材が前記原稿搬送通路部材に収容された状態において、
前記モノクロ用イメージセンサの長辺のうち前記搬送方向上流側の端部を第４の端部、前記搬送方向下流側の端部を第５の端部、前記原稿搬送通路部材の前記イメージセンサ保持部材に隣接される長辺のうち前記搬送方向上流側の端部を第１の端部、前記搬送方向下流側の端部を第８の端部、前記イメージセンサ保持部材の前記原稿搬送通路部材に隣接される長辺のうち前記搬送方向上流側の端部を第２の端部、前記搬送方向下流側の端部を第７の端部、前記イメージセンサ保持部材の前記モノクロ用イメージセンサに隣接される長辺のうち前記搬送方向上流側の端部を第３の端部、前記搬送方向下流側の端部を第６の端部、とするとき、第１の端部と第２の端部と第３の端部と第４の端部と第５の端部と第６の端部と第７の端部と第８の端部のうち、すくなくとも第２の端部と、第４の端部と、第６の端部と、第８の端部とには、原稿から遠ざかる向きにテーパー面が設けられていることを特徴とする請求項４に記載の画像読取装置。
【請求項８】
装置本体の下部に設けられ、積層収納された複数の被記録媒体を一枚ずつ分離して、Ｕターン経路に向けて搬送する給紙部と、このＵターン経路を経て搬送された被記録媒体に画像を記録する記録部と、この記録部を経て搬送された被記録媒体を装置前方に向けて排出する排出部と、前記記録部および前記排出部の上方に配置され、原稿を装置本体後方側から前方側に搬送しつつ原稿面の画像を読み取る読取面を備えた読取部と、を備えた画像形成装置であって、前記搬送通路部材が、前下がり傾斜状に配置されていることを特徴とする請求項３〜７のいずれかに記載の画像読取装置を備えた画像形成装置。
【発明の詳細な説明】
【技術分野】
【０００１】
本発明は、形状が異なる複数種類のイメージセンサを取付け可能にした画像読取装置およびこの画像読取装置を備える画像形成装置の構成に関するものである。
【背景技術】
【０００２】
特許文献１に記載のファクシミリ機能、複写機能を有する複合機（画像形成装置）では、本体ケースの上面のうち前寄り部位には、表面に操作パネル部が形成された操作部カバー体が前後方向に上下回動可能に設けられており、この操作部カバー体の下面側に画像読取部が設けられ、本体ケース内には感光体ドラムを有する作像ユニットが配置されている。操作パネル部の背面側には、原稿を載置して画像読取部に給送するための原稿挿入用トレイが前下がり状に設けられている一方、本体ケースの後端には受信した画像などのデータを印刷して記録するための記録紙（用紙）を複数枚載置するための給紙トレイが、前下りの傾斜状に設けられている。
【０００３】
特許文献１では、断面コ字状で上向き開放したセンサ装着溝（特許文献１の公報ではセンサ取付け部と称している）が、原稿挿入用トレイの搬送下流側に配置されたハウジングの搬送路板の中途部に、原稿の搬送方向と直交する方向に長く形成されており、このセンサ装着溝に、断面矩形状の画像読取用のイメージセンサが嵌挿されている。上記センサ装着溝の長手方向（原稿の搬送方向と直交する方向、主走査方向）の両端部において、弾性部と係合爪とを備えたセンサ固定部材によりイメージセンサの上面の両端部を脱落不能に固定する構成が開示されている。
【特許文献１】特開平１０−１４５５４８号公報（図１、図５〜図８参照）
【発明の開示】
【発明が解決しようとする課題】
【０００４】
ところで、最近では、たとえば、写真等の精細なカラー画像を読取って、カラーコピーしたいという要望や、カラー画像（多色よりなる画像）を読取って、ファクシミリする相手にカラー画像のデータを発信したいという要望がある一方、他のユーザーはテキスト文書などのモノクロ（例えば白黒）の画像だけをファクシミリ送受信したり、複写できれば事足り、送受信の高速化を要望するというように、読取装置に対するユーザーの需要が多様化している。
【０００５】
上記の要望に応えるべく、画像読取装置のメーカは、画像を読み取る分解能等、読取特性の異なる複数の機種を品揃えする必要がある。たとえば、モノクロ画像及びカラー画像の両者を読取可能（多色の画像データとして読取可能）な機種と、画像をモノクロの読取データとしてのみ読取可能な機種と、また、これらの機種のうちでも、読取の分解能が高い機種と、読取速度の早い機種とを品揃えする必要がある。その場合、主たるハード部品としてのイメージセンサ（密着型イメージセンサ、ＣＩＳ：Contact Ima-ge Sensor ）は、モノクロ画像及びカラー画像の両者を読取可能なカラー画像用のもの（以下、カラー用イメージセンサという）、モノクロ画像専用のもの（以下、モノクロ用イメージセンサという）、また、これらのうちでも異なる読取分解能を持つものが市販されている。これらのイメージセンサは、イメージセンサの筐体の縦寸法、横寸法や、イメージセンサの筐体を原稿の搬送方向で切断した断面形状の縦横比率が異なる。また、イメージセンサによっては、センサを備えた原稿読取面を覆う透明ガラス板が予め固定されているものと、センサが露出しているものとがある。
【０００６】
しかしながら、特許文献１に記載のセンサ装着溝の断面形状を、上記のように横比率や縦寸法、横寸法が異なるイメージセンサの全てが収容可能な形状（即ち最大の断面形状のイメージセンサが収容できる形状）に形成したとすれば、上記最大の断面形状のイメージセンサよりも小さい断面形状のイメージセンサを位置固定的に収納するには、センサ装着溝の底面や長手側面との間に種々の寸法のスペーサを介在させなければならず、部品点数が多くなり、製品管理が煩わしく、また組み付け作業も煩雑になるという問題があった。
【０００７】
本願発明は、上記の従来の技術的課題を解決することを目的になされたものであって、形状が異なる複数種類のイメージセンサを容易に装着できるようにした画像読取装置を提供することを目的とするものである。
【課題を解決するための手段】
【０００８】
前記目的を解決するための請求項１に記載の発明の画像読取装置は、所定の搬送方向に搬送される原稿上の画像を読み取る画像読取面を有し、前記搬送方向と直交する方向に沿った長辺を有するイメージセンサと、前記所定の搬送方向と直交する方向を長手方向として装置本体に設けられ前記イメージセンサを装着可能な開口部を有するセンサ装着溝部と、を備えた画像読取装置であって、前記センサ装着溝部は、大きさが異なる複数種類のイメージセンサを収容可能な収容空間を有し、前記収容空間内にイメージセンサが収容されるとき、センサ装着溝部の開口部側に前記イメージセンサの画像読取面が配置されるものである。
【０００９】
請求項２に記載の発明は、請求項１に記載の画像読取装置において、前記複数種類のイメージセンサは、カラー用イメージセンサと、モノクロ用イメージセンサを含むものである。
【００１０】
請求項３に記載の発明は、請求項１または２に記載の画像読取装置において、装置本体に設けられ、原稿が前記所定の搬送方向に搬送されるときに、その搬送通路を形成する原稿搬送通路部材を備え、前記センサ装着溝部は前記原稿搬送通路部材と一体的に形成されているものである。
【００１１】
請求項４に記載の発明は、請求項２または３に記載の画像記録装置において、前記モノクロ用イメージセンサの画像読取面を露出可能な開放面を有し、前記モノクロ用イメージセンサを収容保持可能なイメージセンサ保持部材は、前記開口部側から前記収容空間に嵌挿可能であるものである。
【００１２】
請求項５に記載の発明は、請求項２または３に記載の画像読取装置において、前記カラー用イメージセンサは、前記開口部を覆う透明板と前記センサ装着溝部の底側に配置された弾性部材とによって、前記収容空間内で固定されるものである。
【００１３】
請求項６に記載の発明は、請求項５に記載の画像読取装置において、前記透明板は前記搬送方向と直交する方向に沿った長辺を有し、前記透明板の長辺と直交する一端部は、前記センサ装着溝部の近傍の係止溝に係止され、他端部は、前記原稿搬送通路部材に対して着脱可能な固定部材を介して固定されているものである。
【００１４】
請求項７に記載の発明は、請求項４に記載の画像読取装置において、前記モノクロ用イメージセンサが前記イメージセンサ保持部材に収容され、前記イメージセンサ保持部材が前記原稿搬送通路部材に収容された状態において、前記モノクロ用イメージセンサの長辺のうち前記搬送方向上流側の端部を第４の端部、前記搬送方向下流側の端部を第５の端部、前記原稿搬送通路部材の前記イメージセンサ保持部材に隣接される長辺のうち前記搬送方向上流側の端部を第１の端部、前記搬送方向下流側の端部を第８の端部、前記イメージセンサ保持部材の前記原稿搬送通路部材に隣接される長辺のうち前記搬送方向上流側の端部を第２の端部、前記搬送方向下流側の端部を第７の端部、前記イメージセンサ保持部材の前記モノクロ用イメージセンサに隣接される長辺のうち前記搬送方向上流側の端部を第３の端部、前記搬送方向下流側の端部を第６の端部、とするとき、第１の端部と第２の端部と第３の端部と第４の端部と第５の端部と第６の端部と第７の端部と第８の端部のうち、すくなくとも第２の端部と、第４の端部と、第６の端部と、第８の端部とには、原稿から遠ざかる向きにテーパー面が設けられているものである。
【００１５】
請求項８に記載の発明は、請求項３〜７のいずれかに記載の画像読取装置を備えた画像形成装置において、装置本体の下部に設けられ、積層収納された複数の被記録媒体を一枚ずつ分離して、Ｕターン経路に向けて搬送する給紙部と、このＵターン経路を経て搬送された被記録媒体に画像を記録する記録部と、この記録部を経て搬送された被記録媒体を装置前方に向けて排出する排出部と、前記記録部および前記排出部の上方に配置され、原稿を装置本体後方側から前方側に搬送しつつ原稿面の画像を読み取る読取面を備えた読取部と、を備えた画像形成装置であって、前記搬送通路部材が、前下がり傾斜状に配置されているものである。
【発明の効果】
【００１６】
請求項１に記載の発明によれば、原稿搬送通路部材に凹み形成された１種類のセンサ装着溝部に、大きさの異なる複数種類のイメージセンサを収容可能な収容空間を有するから、各イメージセンサの寸法に合わせた収容空間形状のセンサ装着溝部を有する原稿搬送通路部材を別々に準備する必要がなく、画像読取装置の製造コストを大幅に低減させることができる。そして、センサ装着溝部の開口部側が、前記複数種類のイメージセンサによる画像読取面となるように形成されているものであるから、各イメージセンサの装着方向も一定にでき、画像読取面の位置決めが容易になる。ここで、大きさとはイメージセンサの筐体の縦寸法、横寸法や、イメージセンサの筐体を原稿の搬送方向で切断した断面形状を含めた寸法の大きさのことをいう。
【００１７】
請求項２に記載の発明によれば、原稿搬送通路部材に凹み形成された１種類のセンサ装着溝部に、カラー用イメージセンサと、モノクロ用イメージセンサとを含む複数種類のイメージセンサのうちのいずれかを選択的に装着可能であるから、各イメージセンサの寸法に合わせた収容空間形状のセンサ装着溝部を有する原稿搬送通路部材を別々に準備する必要がなく、画像読取装置の製造コストを大幅に低減させることができる。そして、センサ装着溝部の開口部側が、前記２種類のイメージセンサによる画像読取面となるように形成されているものであるから、各イメージセンサの装着方向も一定にでき、画像読取面の位置決めが容易になる。
【００１８】
請求項３に記載の発明によれば、前記センサ装着溝部は、原稿搬送通路部材に一体的に形成されているものであるので、原稿搬送通路部材の製造が一層容易になり、部品点数が少なくなり、製品管理も容易になるという効果を奏する。
【００１９】
請求項４に記載の発明によれば、モノクロ用イメージセンサがイメージセンサ保持部材に収容されることによってセンサ装着溝部に対して装着可能となる。すなわち、小さい断面形状のモノクロ用イメージセンサの場合、このイメージセンサに対応されたイメージセンサ保持部材に収容された状態で、収容空間に収容されることによって、ガタつくことがなく装着される。
【００２０】
請求項５に記載の発明によれば、大きい断面形状のカラー用イメージセンサを収容して装着する場合も、センサ装着溝部の底側に弾性部材を介在させ、カラー用イメージセンサの上面側を透明板にて覆うようにして、カラー用イメージセンサを弾性部材と透明板とで挟んで固定することで、カラー用イメージセンサがガタつくことなく、簡単に装着できる。
【００２１】
請求項６に記載の発明によれば、透明板の固定に際して、前記透明板は前記搬送方向と直交する方向に沿った長辺を有し、前記透明板の長辺と直交する一端部は、前記センサ装着溝部の近傍の係止溝に係止され、他端部は、前記原稿搬送通路部材に対して着脱可能な固定部材を介して固定することで、透明板の固定の作業が一層簡単になるという効果を奏する。
【００２２】
請求項７に記載の発明によれば、前記モノクロ用イメージセンサが前記イメージセンサ保持部材に収容され、前記イメージセンサ保持部材が前記原稿搬送通路部材に収容された状態において、前記モノクロ用イメージセンサの長辺のうち前記搬送方向上流側の端部を第４の端部、前記搬送方向下流側の端部を第５の端部、前記原稿搬送通路部材の前記イメージセンサ保持部材に隣接される長辺のうち前記搬送方向上流側の端部を第１の端部、前記搬送方向下流側の端部を第８の端部、前記イメージセンサ保持部材の前記原稿搬送通路部材に隣接される長辺のうち前記搬送方向上流側の端部を第２の端部、前記搬送方向下流側の端部を第７の端部、前記イメージセンサ保持部材の前記モノクロ用イメージセンサに隣接される長辺のうち前記搬送方向上流側の端部を第３の端部、前記搬送方向下流側の端部を第６の端部、とするとき、第１の端部と第２の端部と第３の端部と第４の端部と第５の端部と第６の端部と第７の端部と第８の端部のうち、すくなくとも第２の端部と、第４の端部と、第６の端部と、第８の端部とには、原稿から遠ざかる向きに（原稿の表面から遠ざかるように）テーパー面が設けられているものである。
【００２３】
従って、原稿が搬送されるときに、当該原稿の搬送方向下流側端部が、前記モノクロ用イメージセンサや前記原稿搬送通路部材や前記イメージセンサ保持部材の長辺に引っかからないでスムーズに搬送される。安定して搬送されるので、画像データの読取品質が安定するという効果を奏する。
【００２４】
請求項８に記載の発明によれば、装置本体の下部に、当該装置本体前方に引出し可能な給紙カセットを備え、且つ該給紙カセットから給送された用紙がＵターン経路を介して記録部を通過して装置本体の前面に排出する一方、前記記録部より上方に、前記原稿搬送通路部材が、前下がり傾斜状に配置されているものであるから、原稿搬送通路部材の装着作業も容易となる。また、画像形成装置に適用されたものであるから、複数の機種を低コストで生産可能であるという効果を奏する。
【発明を実施するための最良の形態】
【００２５】
次に、本発明を実施するための最良の形態について説明する。図１はファクシミリ装置の原稿給送トレイを起立させた状態の外観斜視図、図２は側断面図、図３は操作パネル部を外した状態でモノクロ用イメージセンサ装着部を示す平面図、図４はモノクロ用イメージセンサ装着部を示す図３のIV−IV線矢視側断面図、図５は原稿の搬送通路部材及びセンサ装着溝部を示す平面図、図６は分解斜視図、図７はモノクロ用イメージセンサの装着順序を示す説明図、図８はカラー用イメージセンサ装着部を示す平面図、図９は図８のIX−IX線矢視側断面図、図１０は図８のＸ−Ｘ線矢視側断面図、図１１は分解斜視図、図１２は透明ガラス板の一端部の固定を示す断面図、図１３はカラー用イメージセンサ装着の装着順序を示す説明図である。
【００２６】
本発明のファクシミリ装置１の装置本体（ハウジング）２は合成樹脂製の射出成形品であり、図２に示すように、装置本体２の下部に画像記録部（以下、記録部という）７が備えられている。そして、装置本体２の底部のカセット収納部（収納空間）に対して、装置本体２の前側に開口された挿入口２ａから挿抜可能（実質上水平方向に出し入れ可能）な給紙カセット３が配置されている。以下、装置本体２の挿入口２ａがある側を前側または前方といい、これを基準に装置の前側、左右側、後側（奥側）という。
【００２７】
本実施形態では、給紙カセット３の挿抜方向を副走査方向（Ｙ軸方向）といい、後述するキャリッジ５が往復移動する方向を主走査方向（Ｘ軸方向）という（図１参照）。給紙カセット３は、例えばＡ４サイズ、レターサイズ、リーガルサイズ等にカットされた被記録媒体としての用紙が複数枚積層（堆積）されて収納できる収容部３ａを備えている。尚、装置本体２の底部に給紙カセット３を挿抜可能なカセット収納部が設けられる代わりに、装置本体２の底部に、装置本体の前側の開口から被記録媒体を装置本体２に直接装填可能であって、被記録媒体を積層収容可能な被記録媒体収容部が設けられた構成であってもよい。
【００２８】
給紙カセット３挿入方向の奥側端には、用紙分離用の傾斜分離板８が設けられ、この傾斜分離板８の上側に隣接して装置本体２の背面板に開口する背開口部には、側面視でＵターン状の搬送経路を形成するための外径側搬送路体９が着脱可能に配置されている（図２参照）。なお、Ｕターン状の外径側搬送路体９は、その左右両側端部に一体的に設けられた弾性係合爪（図示せず）を介して装置本体２の背面から取り外し可能に装着されており、給紙ローラ６ｂから後述するレジストローラ対１７までの間で発生した紙ジャムを除去できるようになっている。
【００２９】
装置本体２側には、給紙カセット３より上方に給紙手段としての給紙ローラ６ｂが設けられている。給紙手段における給紙アーム６ａの上端部に駆動軸３４を備え、この駆動軸３４を中心として上下方向に回動可能な給紙アーム６ａが装着されている。この給紙アーム６ａの下端に設けられた給紙ローラ６ｂと、傾斜分離板８における分離爪（図示せず）とが協働することにより、給紙カセット３に堆積された被記録媒体である用紙Ｐが一枚ずつ分離給送される。そして、Ｕターン経路を形成するための外径側搬送路体９を介して、給紙カセット３の上方に配置された記録部７に用紙Ｐが配送されて画像記録された後、給紙カセットの上方の空間である排出部１０に記録済みの用紙Ｐが送られ、上記挿入口２ａと共通の排出口１０ａから装置本体２の外に排出される（図２参照）。
【００３０】
記録部７は、図２に示すように、上面開放された金属製枠状のメインフレーム１１における左右一対の側板（図示せず）にて支持され、Ｘ軸方向（主走査方向）に延びる横長の板状（プレート状）の第１ガイド部材１２、第２ガイド部材１３と、これら両ガイド部材１２、１３に跨がって摺動自在に支持（搭載）されて往復移動可能に構成されたキャリッジ５と、インクジェット式の記録ヘッド（図示せず）が下面に搭載されたキャリッジ５を往復移動させるために第２ガイド部材１３の上面にそれと平行状にて、プーリに巻回配置された無端ベルトとしてのタイミングベルト（図示せず）と、そのタイミングベルトを駆動するＣＲ（キャリッジ）モータ（実施形態ではＤＣモータであるが、ステッピングモータ等他のモータでもよい。図示せず）と、記録ヘッドの下面側にて搬送される用紙Ｐを支持する板状のプラテン１６と、主走査方向に沿って延びるように配置されてキャリッジ５のＸ軸方向（主走査方向）の位置とその方向の移動速度を検知するための光学式リニアエンコーダの構成部品であるテープスケール（図示せず）等を備える。なお、プラテン１６上で用紙Ｐが通過する方向での用紙搬送方向の上流側に、第１ガイド部材１２が配置され、下流側に第２ガイド部材１３が配置されることになる。
【００３１】
また、プラテン１６よりも搬送上流側には、搬送作用とレジスト作用を兼用させるレジストローラ対１７が配置されている。駆動ローラと従動ローラとからなるレジストローラ対１７は用紙Ｐを記録ヘッド４の下面のノズル面とプラテン１６との隙間に搬送する。プラテン１６よりも下流側には、用紙Ｐの上面に接する拍車と下面側の駆動する駆動ローラとからなる排紙ローラ対１８が配置されている。この排紙ローラ対１８により記録済みの用紙Ｐを排紙部１０へと搬送する。
【００３２】
なお、装置本体２の上面後側傾斜面には、記録部７の用紙搬送路が上から観察できる程度の大きい空間４０に連通する紙ジャム取り出し口４１が開口している。この紙ジャム取り出し口４１を覆う後カバー体３８は、その上部寄り部位のヒンジ部３９を介して装置本体２に枢着されている（図２参照）。
【００３３】
装置本体２の上面のうち前寄り部位には、テンキー等の各種操作ボタン２０ａや液晶表示部２０ｂ等を備えた操作パネル部２０が設けられている。この操作パネル部２０は前下りの傾斜状に形成され、操作パネル部２０の前端部のヒンジ２１を介して装置本体２に対して上下開閉回動可能に枢着されており（図１、図２参照）、操作パネル部２０を大きく開くと、画像読取装置２２における原稿搬送通路部材２３の上面が広く開放されるようになっている。
【００３４】
画像読取装置２２は操作パネル部２０の下方の装置本体２内に配置されている。即ち、図２に示すように、装置本体２における記録部７より上方前部には、操作パネル部２０とほぼ平行状（前下りの傾斜状）に原稿搬送通路部材２３が配置されており、原稿搬送通路部材２３上には、画像読取装置２２を構成する原稿給紙ローラ２４と原稿分離板（分離パッド）２５と、原稿搬送ローラ対２６と原稿読取のためのイメージセンサとその下流側の原稿排出ローラ対２８とが、原稿の搬送方向（給送方向）の上流側から下流側に向けて順に配置されている。
【００３５】
原稿搬送通路部材２３は操作パネル部２０の下面側にて上流側から下流側に向かって延設されており、操作パネル部２０と原稿搬送通路部材２３との隙間が原稿導入口２９となる。原稿排出ローラ対２８の下流側には装置本体２の前面に開口する原稿排出口３０が形成され、これに続いて、装置本体２の前方に延びる原稿排出トレイ３１が上下回動可能に設けられている。原稿搬送通路部材２３における搬送通路板部２３ａには、原稿搬送ローラ対２６の駆動ローラ６ａの取付け部と、センサ装着溝部４３と、原稿排出ローラ対２８の駆動ローラ２８ａの取付け部とが上流側から下流側に順に設けられている。他方、上記原稿給紙ローラ２４の上面に対向する原稿分離板（分離パッド）２５と、原稿搬送ローラ対２６の従動ローラ（ピンチローラ）２６ｂと、原稿排出ローラ対２８の従動ローラ（ピンチローラ）２８ｂと、後に詳述するイメージセンサ２７ａ（２７ｂ）の上面に対向する原稿押圧板３２とは、操作パネル部２０の下面側に取付けられている。
【００３６】
本発明では、ファクシミリ装置１を画像読取がモノクロ用またはカラー用の２つの機種にて準備（販売）するため、合成樹脂製の一体成形品である原稿搬送通路部材２３に一体的に形成された１種類（共通）のセンサ装着溝部４３に対して、モノクロ用イメージセンサ２７ａまたはカラー用イメージセンサ２７ｂのうちのいずれかを装着できる構成を採用するものである。
【００３７】
イメージセンサ（密着型イメージセンサ、ＣＩＳ：Contact Ima-ge Sensor ）２７ａ（２７ｂ）は、図２の紙面と直交する方向（主走査方向、Ｘ軸方向）に長いＣＣＤ素子（固体撮像素子）等にて構成されている。
【００３８】
なお、図２〜図７はモノクロ用イメージセンサ２７ａを装着した場合を示し、図８〜図１３はカラー用イメージセンサ２７ｂを装着した場合を示す。一般に、モノクロ用イメージセンサ２７ａの断面形状はカラー用イメージセンサ２７ｂのそれよりも小さく形成され、それぞれ矩形断面形状を呈している。
【００３９】
センサ装着溝部４３は、図５及び図６に示すようにＸ軸方向（主走査方向）に長く、上面開放された断面コ字状に形成された収容空間４８を有しており、後述するように、この収容空間４８内に、大きい断面サイズのカラー用イメージセンサ２７ｂや、イメージセンサ保持部材としてのホルダ４９付きのモノクロ用イメージセンサ２７ａが収容できる程度に形成されている。センサ装着溝部４３の底板４３ａのうち、搬送方向上流側及び下流側の側板４３ｂ，４３ｃの下端との付け根部分には、係止孔４４がＸ軸方向に適宜間隔で複数貫通形成されている。また、底板４３ａには、後述する弾性部材の一例としての付勢コイルバネ４６の装着位置を一定にするための台座４５が形成されている。さらに、上記側板４３ｂ，４３ｃの上端部分には、Ｘ軸方向（主走査方向）に長く、上面開放された断面コ字状の取付け溝４７ａ、４７ｂが形成されている。
【００４０】
モノクロ用イメージセンサ２７ａを装着する場合には、Ｘ軸方向（主走査方向）に長い、上向き開放された断面コ字状のホルダ４９に、モノクロ用イメージセンサ２７ａを上から嵌め入れ、ホルダ４９の底板４９ａの取付け孔４９ｄを介して締着ネジ５０をモノクロ用イメージセンサ２７ａの底部に螺着して脱落しないように固定する。イメージセンサ保持部材としてのホルダ４９には、上述の係止孔４４に上方から挿入可能な弾性係止爪５１が設けられており、従って、モノクロ用イメージセンサ２７ａを嵌め入れたホルダ４９がセンサ装着溝部４３の収容空間４８に対してその上側開口部側から係脱可能に嵌挿することができるものである（図７参照）。なお、ホルダ４９の搬送方向上流側及び下流側の側板４９ｂ，４９ｃの上端フランジ部には、上記センサ装着溝部４３における一対の取付け溝４７ａ、４７ｂに上方から嵌まる突条５２が一体的に設けられているので、センサ装着溝部４３の収容空間４８に対して嵌め入れられたホルダ４９の姿勢がガタつくことも無くなる。
【００４１】
なお、モノクロ用イメージセンサ２７ａの上面のうち、原稿の搬送方向上流側が若干高い原稿摺動面２７ａ１に形成され、それに隣接する低い面が画像読取面２７ａとなる（図７参照）。
【００４２】
また、図１４に示すように、実施形態においては、モノクロ用イメージセンサ２７ａがホルダ４９に収容され、このホルダ４９が原稿搬送通路部材２３に収容された状態において、モノクロ用イメージセンサ２７ａの長辺のうち搬送方向上流側の端部を第４の端部６０ｄ、前記搬送方向下流側の端部を第５の端部６０ｅ、原稿搬送通路部材２３のホルダ４９に隣接される長辺のうち搬送方向上流側の端部を第１の端部６０ａ、搬送方向下流側の端部を第８の端部６０ｈ、ホルダ４９の原稿搬送通路部材２３に隣接される長辺のうち前記搬送方向上流側の端部を第２の端部６０ｂ、搬送方向下流側の端部を第７の端部６０ｇ、ホルダ４９のモノクロ用イメージセンサ２７ａに隣接される長辺のうち前記搬送方向上流側の端部を第３の端部６０ｃ、前記搬送方向下流側の端部を第６の端部６０ｆ、とするとき、第１の端部と第２の端部と第３の端部と第４の端部と第５の端部と第６の端部と第７の端部と第８の端部のうち、すくなくとも第２の端部と、第４の端部と、第６の端部と、第８の端部とには、原稿から遠ざかる向き（原稿の表面から遠ざかる向き）にテーパー面が設けられている。
【００４３】
このよう構成することにより、搬送される原稿Ｇの搬送方向下流側端縁が前記テーパー状の端部に引っ掛かることがなくなり、円滑な原稿搬送を実現させることができる。
【００４４】
カラー用イメージセンサ２７ｂをセンサ装着溝部４３の収容空間４８に対して装着する場合には、図８〜図１３に示すように、センサ装着溝部４３の底板４３ａに形成された台座４５に圧縮コイルバネ４６をセットし、次いで、収容空間４８にカラー用イメージセンサ２７ｂを嵌め入れる。一方、両側板４３ｂ，４３ｃにおける取付け溝４７ａ、４７ｂには、スポンジ材などの帯状のパッキン部材５３を嵌め入れる。カラー用イメージセンサ２７ｂの上面のＸ軸方向の両端部には、高さ位置決め用のスペーサ５４を設置し、その上から透明板（ガラス板）５５を載置して収容空間４８を覆う。このとき、透明板５５の上面が搬送通路板部２３ａの上面と略同一面となるように、センサ装着部４３の一対の取付け溝４７ａ、４７ｂの近傍にはＸ軸方向に長い段部４３ｄが形成されている。
【００４５】
透明板５５の長手方向（Ｘ軸方向）の一端部を、センサ装着溝部４３の近傍に横向きに凹み形成された係止溝５６に挿入して係止する（図１２参照）。透明板５５の長手方向（Ｘ軸方向）の他端部は、原稿搬送通路部材２３に形成された固定部５７に、別体の固定部材５９を介して押圧固定するものである（図１０、図１３参照）。固定部材５９の搬送方向上流側及び下流側には各々係止爪５９ａ、５９ｂが突出形成されているので、これら係止爪５９ａ、５９ｂを固定部５７の孔５７ａ、５７ｂにそれぞれ嵌め入れるのである（図１０参照）。
【００４６】
このように、原稿搬送通路部材２３に凹み形成された１種類のセンサ装着溝部４３に、大きさの異なるモノクロ用イメージセンサ２７ａと、カラー用イメージセンサ２７ｂのうちのいずれかを選択的に収容して装着する場合、断面形状を含めて小さい寸法のイメージセンサ（実施形態ではモノクロ用イメージセンサ２７ａ）には、ホルダ４９を介してセンサ装着溝部４３に装着することにより、寸法の異なる複数種類（実施形態では２種類）のイメージセンサを簡単に装着できる。従って、各イメージセンサの寸法に合わせた収容空間形状のセンサ装着溝部４３を有する原稿搬送通路部材２３を別々に準備する必要がなく、画像読取装置の製造コストを大幅に低減させることができる。センサ装着溝部４３は、原稿搬送通路部材２３に一体的に形成されているものであるので、原稿搬送通路部材２３の製造が一層容易になり、部品点数が少なくなり、製品管理も容易になるという効果を奏する。
【００４７】
小さい断面形状のモノクロ用イメージセンサ２７ａの場合、それが収容できるホルダ４９をセンサ装着溝部４３に係脱可能に挿入することで、ガタつくことがなく、大きい断面形状のカラー用イメージセンサ２７ｂを収容して装着する場合も、センサ装着溝部４３の底側に弾性部材（実施形態ではコイルバネ４６）を介在させ、カラー用イメージセンサ２７ｂの上面側を透明板５５にて覆うようにして、カラー用イメージセンサ２７ｂを弾性部材と透明板５５とで挟んで固定することで、カラー用イメージセンサ２７ｂがガタつくことなく、簡単に装着できる。弾性部材は、コイルバネ４６に代えて、板バネやゴムなどの弾性部材を使用することができる。
【００４８】
透明板の固定に際して、原稿搬送方向と直交する方向の一端部にてセンサ装着溝部４３の近傍の係止溝５６に係止され、透明板５５の他端部は、原稿搬送通路部材２３の固定部５７に対して着脱可能な固定部材５９を介して固定することで、透明板５５の固定の作業か一層簡単になるという効果を奏する。この透明板５５は、アクリル樹脂板などの樹脂板であっても良い。
【００４９】
なお、原稿搬送通路部材２３の頂点部分等の装置本体２には、複数枚の原稿Ｇを載置するための原稿給送トレイ３３の基端部がヒンジ３４を介して前後開閉回動可能に枢着されている（図１及び図２参照）。原稿給送トレイ３３は、図２のごとく、原稿導入口２９及び画像読取装置１２が下面側に配置された操作パネル部２０の上面全体を覆う前傾伏せ姿勢と、図１のごとく、後傾起立姿勢とに選択的に回動可能に構成されている。これにより、原稿給送トレイ３３は、読取るべき原稿Ｇを載置する原稿載置部としての機能と、不使用時に原稿導入口２９及び操作パネル部２０の上面を覆って埃よけとしての機能とを兼用させることができるものである。
【００５０】
なお、原稿排出トレイ３１は透明な樹脂板にて形成されており、この原稿排出トレイ３１を上向き回動させて、操作パネル部２０の上面とほぼ平行になるように折り畳むことができ、その後、原稿給送トレイ３３を上記折り畳んだ原稿排出トレイ３１の上面とほぼ平行になるように前傾伏せ姿勢を採ることができる。そして、原稿給送トレイ３３の中央部に穿設形成された窓部３３ｂを通して、操作パネル部２０における液晶表示部２０ｂを観察することができるものである。この窓部３３ｂは有していなくても良い。
【００５１】
原稿給送トレイ３３の側断面形状は、原稿Ｇの給送方向の中途部で鈍角状（角度θ１が１２０度〜１４５度程度）に屈曲形成されているものである。装置本体２の側面視において、後傾起立姿勢の原稿給送トレイ３３の上端は装置本体２の後端よりも前側に位置するものとし、後傾起立姿勢の原稿給送トレイ３３の上面に載置された原稿Ｇの給送方向の中途部が自重により湾曲しても、その湾曲中途部が原稿給送トレイ３３の上面の屈曲中途部３３ａに当接しないから、原稿給送トレイ３３の側断面が下向き凸湾曲形成されている場合に比べて、また、原稿給送トレイ３３の表面（上面に給紙方向に細長いリブを形成しなくても、原稿Ｇの給送時の搬送抵抗（摺接抵抗）を低減することができる。なお、原稿搬送通路部材２３の上流側には、原稿導入口２９の近傍に、原稿Ｇの左右両側縁を案内する一対の側ガイド板３５が設けられている（図１参照）。
【００５２】
装置本体２の上面一側部位（原稿給送トレイ３３の配置位置の一側方）には、コードレス式のハンドセット３６（テンキー等の操作ボタン付き）を起立状態で収納可能なハンドセット置き台３７が凹み形成され、装置本体２の側面視において、ハンドセット置き台３７にて起立状態で収納されたハンドセット３６が後傾起立姿勢の原稿給送トレイ３３よりも前側に位置するように設けられているものである（図１、図２、図３及び図４参照）。なお、ハンドセット置き台３７内には、ハンドセット３６に対する充電器（図示せず）が設けられている。
【００５３】
上記の構成により、ファクシミリ装置１の待機状態もしくは使用状態では図１に示すように、操作パネル部２２の上面から開いた原稿給送トレイ３３を後傾起立姿勢となるように立ち上げると、当該原稿給送トレイ３３の上端部は装置本体２の後端面よりも前側に位置するから（図４参照）、ファクシミリ装置１の装置本体２の後端面を室の壁等に密接させた状態でも使用可能となる。
【００５４】
本発明は、ファクシミリ装置ばかりでなく、コピー装置や画像スキャナ装置にも適用できることはいうまでもなく、原稿読取装置を備えたコピー機能やファクシミリ機能を有する多機能装置にも適用できる。
【図面の簡単な説明】
【００５５】
【図１】ファクシミリ装置の原稿給送トレイを起立させた状態の外観斜視図である。
【図２】側断面図である。
【図３】操作パネル部を外した状態でモノクロ用イメージセンサ装着部を示す平面図である。
【図４】モノクロ用イメージセンサ装着部を示す図３のIV−IV線矢視側断面図である。
【図５】原稿の搬送通路部材及びセンサ装着溝部を示す平面図である。
【図６】分解斜視図である。
【図７】モノクロ用イメージセンサの装着順序を示す説明図である。
【図８】カラー用イメージセンサ装着部を示す平面図である。
【図９】図８のIX−IX線矢視側断面図である。
【図１０】図８のＸ−Ｘ線矢視側断面図である。
【図１１】分解斜視図である。
【図１２】透明ガラス板の一端部の固定を示す断面図である。
【図１３】カラー用イメージセンサ装着の装着順序を示す説明図である。
【図１４】モノクロ用イメージセンサの装着部分の拡大側断面図である。
【符号の説明】
【００５６】
１    ファクシミリ装置
２    装置本体
２ａ  挿入口
３    給紙カセット
７    記録部
２０    操作パネル部
２２    画像読取装置
２３    原稿搬送通路部材
２３ａ  搬送通路板
４３    センサ装着溝部
４３ａ  底板
４４    係止孔
４５    台座
４６    弾性部材としてのコイルバネ
４８    収容空間
４９    ホルダ
５０    締着ねじ
５１    弾性係止爪
５３    パッキン材
５４    スペーサ
５５    透明板
５６    係止溝
５７    固定部
５９    固定部材
【図１】
2008010978.tif 000003
【図２】
2008010978.tif 000004
【図３】
2008010978.tif 000005
【図４】
2008010978.tif 000006
【図５】
2008010978.tif 000007
【図６】
2008010978.tif 000008
【図７】
2008010978.tif 000009
【図８】
2008010978.tif 000010
【図９】
2008010978.tif 000011
【図１０】
2008010978.tif 000012
【図１１】
2008010978.tif 000013
【図１２】
2008010978.tif 000014
【図１３】
2008010978.tif 000015
【図１４】
2008010978.tif 000016